(57)【要約】【課題】マナーモード等のモード設定状態を周囲から明瞭に判別可能な携帯電話を提供する。【解決手段】携帯電話端末１は、無線通信手段２と、無線通信手段２が無線公衆網から取得した情報を表示する情報表示手段３と、携帯電話端末が有する特定の手段を抑制するために機能抑制信号１３００を出力する機能抑制手段４と、機能抑制手段４が出力する機能抑制表示信号２５００に基づいて表示状態を変更する機能抑制状態表示手段５を有し、機能抑制状態表示手段５の表示変化が携帯電話端末筐体の周囲から視認できるように配置される。【選択図】図１
2007243767.tif 000002
【特許請求の範囲】
【請求項１】
無線公衆網に接続して通信を行う無線通信手段と、
前記無線通信手段が無線公衆網から取得した情報の少なくとも一部を表示する情報表示手段と、
前記無線通信手段の処理における入力情報を外部から取得するか、または前記無線通信手段の処理における出力情報を外部へ出力する外部入出力手段と、
前記外部入出力手段が備える少なくとも一部の機能を一時的に抑制し、抑制した機能の情報を含む機能抑制表示信号を送信する機能抑制手段と、
前記機能抑制表示信号を受信し、受信した前記機能抑制表示信号に基づいて抑制された機能と対応した表示を行う機能抑制状態表示手段と、
を具備する無線通信装置。
【請求項２】
請求項１記載の無線通信装置であって、
前記無線通信装置は、前記外部入出力手段への処理入力となる信号を出力するインターフェイス手段を具備し、
前記機能抑制状態表示手段は、前記インターフェイス手段との対応が判別可能に設置され、
前記機能抑制手段が前記外部入出力手段を抑制したとき前記機能抑制状態表示手段が表示状態を変化させることを特徴とする無線通信装置。
【請求項３】
請求項１記載の無線通信装置であって、
前記無線通信装置は、前記外部入出力手段の処理出力である信号を入力とするインターフェイス手段を具備し、
前記機能抑制状態表示手段は、前記インターフェイス手段との対応が判別可能に設置され、
前記機能抑制手段が前記外部入出力手段を抑制したとき前記機能抑制状態表示手段が表示状態を変化させることを特徴とする無線通信装置。
【請求項４】
請求項１記載の無線通信装置であって、
前記外部入出力手段が前記情報表示手段である無線通信装置。
【請求項５】
請求項１記載の無線通信装置であって、
前記無線通信装置は、前記無線通信装置を操作する操作入力を受け付ける操作入力受付手段を具備し、
前記外部入出力手段が前記操作入力受付手段である無線通信装置。
【請求項６】
請求項１記載の無線通信装置であって、
前記無線通信装置は前記無線通信装置へ画像を取り込む撮像手段を具備し、
前記外部入出力手段が前記撮像手段である無線通信装置。
【請求項７】
請求項２記載の無線通信装置であって、
前記無線通信装置は、前記無線通信手段が前記無線公衆網に接続を開始する操作を受け付ける接続開始操作受付手段を具備し、
前記外部入出力手段が前記無線通信手段であり、
前記インターフェイス手段が前記接続開始操作受付手段である無線通信装置。
【請求項８】
請求項２記載の無線通信装置であって、
前記無線通信装置は、前記無線通信手段の接続先を指定する操作を受け付ける接続先指定操作受付手段を具備し、
前記外部入出力手段が前記無線通信手段であり、
前記インターフェイス手段が前記接続先指定操作受付手段である無線通信装置。
【請求項９】
請求項２記載の無線通信装置であって、
前記無線通信装置は、前記無線通信手段の入力となる通話音声を入力する通話音声入力手段を具備し、
前記外部入出力手段が前記無線通信手段であり、
前記インターフェイス手段が前記通話音声入力手段である無線通信装置。
【請求項１０】
請求項３記載の無線通信装置であって、
前記無線通信装置は、前記無線通信手段が検知した着信に基づいて着信通知音の出力を指示する着信通知手段と、
前記着信通知手段の指示に基づいて着信通知音を出力する着信通知音出力手段を具備し、
前記外部入出力手段が前記着信通知手段であり、
前記インターフェイス手段が前記着信通知音出力手段である無線通信装置。
【請求項１１】
請求項３記載の無線通信装置であって、
前記無線通信装置は、前記無線通信手段が出力する無線信号を電磁波として放出する無線信号出力手段を具備し、
前記外部入出力手段が前記無線通信手段であり、
前記インターフェイス手段が前記無線信号出力手段である無線通信装置。
【請求項１２】
請求項１ないし１１のいずれか一項記載の無線通信装置と、メニュー制御手段と、メニュー選択キーと、
を具備する携帯型情報端末。
【請求項１３】
請求項１ないし１１のいずれか一項記載の無線通信装置と、メニュー制御手段と、メニュー選択キーと、テンキーと、オフフックボタンと、アンテナと、着信通知手段と、着信通知音出力手段と、
を具備する携帯電話端末。 
【発明の詳細な説明】
【技術分野】
【０００１】
本発明は携帯電話端末が内蔵する無線通信装置における機能抑制状態の表示方法に関するものである。
【背景技術】
【０００２】
携帯電話のサービスエリアの拡充により、さまざまな場所で携帯電話による通信・通話が可能となってきている。しかしながら、公共の場所における着信呼び出し音が周囲の迷惑となったり、車両運転中の通話操作による片手運転やディスプレイ注視が事故を起こす危険性を高めたり、携帯電話が発する電磁波が心臓ペースメーカー等の医療機器に悪影響を及ぼしたりする恐れがあるとして、携帯電話利用のマナーやルールに関する社会的な動きが近年活発化している。
【０００３】
ユーザの利用環境に合わせて着信通知機能や通信機能の一部を抑制するモード設定機能（マナーモード、ドライブモード、セルフモード等）を内蔵する携帯電話は早くから商品化されているが、必ずしも利用環境に合わせた最適なモードに設定して利用されていないためモード設定機能が有効活用されていないのが現状である。
【０００４】
その一方で、ユーザが利用環境に合わせたモードに携帯電話を設定しているにもかかわらず、適切にモード設定されていないものと周囲の人から誤解され不必要に注意・指摘を受け、それが元で口論に発展するといったケースも見受けられる。
【０００５】
このような周囲の誤解を発端とするトラブルを防ぐため、モード設定の状態が外部から明瞭に判別可能とする技術も提案されている。たとえば特許文献１に開示された携帯電話は、アンテナの伸縮状態に応じて各種モードを自動的に設定／解除するものである。この発明によれば、アンテナの伸縮状態を目視することにより、モード設定の状態を判別することができる。
【０００６】
また、特許文献２に開示された携帯電話は、接続コネクタにプラグが挿入されると着信音のスピーカー出力をオフとするものである。この発明によれば、プラグの着脱状態を目視することにより、モード設定の状態を判別することができる。
【０００７】
また、携帯電話のディスプレイにモード設定の状態をアイコンで表示する技術が既に公知である。この公知技術によれば、ディスプレイに表示されたアイコンを目視することにより、モード設定の状態を判別することができる。
【特許文献１】特開２０００−３４９８６７号公報
【特許文献２】特開２００４−４８５７２号公報
【発明の開示】
【発明が解決しようとする課題】
【０００８】
しかしながら、特許文献１に開示された方法においては、モードの設定状態によってはアンテナを伸ばした状態、すなわち端末の一部が突出した状態のまま持ち運ぶ必要が生じ、ポケットやカバン等への収納性が悪化するという問題があった。
【０００９】
また、特許文献２に開示された方法においては、プラグを携帯電話本体とは別に持ち運ぶ必要があり、持ち運んでいるうちにプラグを紛失してしまう可能性も高いという問題があった。
【００１０】
また、ディスプレイにモード設定の状態をアイコンで表示する公知技術においては、アイコンの表示サイズが小さいため、端末を使用するユーザ以外の人が周囲からアイコンを目視確認することが困難であるという問題があった。表示するアイコンのサイズを大きくすれば周囲からの識別は可能となるが、ディスプレイに表示する他の情報を妨害してしまうという問題があった。
【００１１】
本発明は、上記従来の課題を解決するものであり、持ち運びの際の収納性や携帯性を損なうことなく、ディスプレイへの情報表示を妨げず、モード設定状態を周囲から明瞭に判別可能な携帯電話を提供することを目的する。
【００１２】
なお、本明細書中において「手段を抑制する」とは、手段が備える機能の少なくとも一部を作動しないようにすることを指す。例えば、ディスプレイの情報表示機能を作動しないようにして情報を一部表示しないようにしたり、テンキーの操作受付機能を作動しないようにして電話番号入力ができないようにすることがこれに相当する。
【００１３】
また、本明細書中において「モード設定」とは、１または複数の手段を抑制した状態を指す。例えば、着信通知手段を抑制して着信音の放音機能を作動しないようにする「マナーモード」の設定、ディスプレイとテンキーを抑制して表示機能と操作入力受付機能を作動しないようにする「ドライブモード」の設定がこれに相当する。
【課題を解決するための手段】
【００１４】
前記従来の課題を解決するために、本発明の無線通信装置は、無線公衆網に接続して通信を行う無線通信手段と、前記無線通信手段が無線公衆網から取得した情報の少なくとも一部を表示する情報表示手段と、前記無線通信手段の処理における入力情報を外部から取得するか、または前記無線通信手段の処理における出力情報を外部へ出力する外部入出力手段と、前記外部入出力手段が備える少なくとも一部の機能を一時的に抑制し、抑制した機能の情報を含む抑制表示情報を送信する機能抑制手段と、前記抑制表示情報を受信し、受信した前記抑制表示情報に基づいて抑制された機能と対応した表示を行う機能抑制状態表示手段と、を具備する。上記構成によれば、無線通信装置のモード設定の状態を情報表示手段とは別の表示手段である機能抑制状態表示手段の表示によって確認ができるので、情報表示手段の情報表示を妨げずにモード設定状態を明瞭に判別することができる。
【００１５】
また、本発明の無線通信装置は、前記外部入出力手段の処理入力となる信号を出力するインターフェイス手段を具備し、前記機能抑制状態表示手段が前記インターフェイス手段との対応が判別可能に設置され、前記機能抑制手段が前記外部入出力手段を抑制したとき前記機能抑制状態表示手段が表示状態を変化させることを特徴とする。上記構成によれば、機能抑制状態表示手段の表示状態の変化とモード設定によって抑制される手段との関連が容易に連想できるため、無線通信装置を熟知していない周囲の人であってもモード設定の状態を明瞭に判別できる。
【００１６】
また、本発明の無線通信装置は、前記外部入出力手段の処理出力である信号を入力とするインターフェイス手段を具備し、前記機能抑制状態表示手段が前記インターフェイス手段との対応が判別可能に設置され、前記機能抑制手段が前記外部入出力手段を抑制したとき前記機能抑制状態表示手段が表示状態を変化させることを特徴とする。上記構成によれば、機能抑制状態表示手段の表示状態の変化とモード設定によって抑制される手段との関連が容易に連想できるため、無線通信装置を熟知していない周囲の人であってもモード設定の状態を明瞭に判別できる。
【００１７】
また、本発明の無線通信装置は、前記外部入出力手段が前記情報表示手段である。上記構成によれば、機能抑制状態表示手段の表示状態の変化と情報表示手段を抑制するモード設定との関連が容易に連想できるため、無線通信装置を熟知していない周囲の人であっても情報表示手段を抑制するモード設定の状態を明瞭に判別できる。
【００１８】
また、本発明の無線通信装置は、前記無線通信装置を操作する操作入力を受け付ける操作入力受付手段を具備し、前記外部入出力手段が前記操作入力受付手段である。上記構成によれば、機能抑制状態表示手段の表示状態の変化と操作入力受付手段を抑制するモード設定との関連が容易に連想できるため、無線通信装置を熟知していない周囲の人であっても操作入力受付手段を抑制するモード設定の状態を明瞭に判別できる。
【００１９】
また、本発明の無線通信装置は、前記無線通信装置へ画像を取り込む撮像手段を具備し、前記外部入出力手段が前記撮像手段である。上記構成によれば、機能抑制状態表示手段の表示状態の変化と撮像手段を抑制するモード設定との関連が容易に連想できるため、無線通信装置を熟知していない周囲の人であっても撮像手段を抑制するモード設定の状態を明瞭に判別できる。
【００２０】
また、本発明の無線通信装置は、前記無線通信手段が前記無線公衆網に接続を開始する操作を受け付ける接続開始操作受付手段を具備し、前記外部入出力手段が前記無線通信手段であり、前記インターフェイス手段が前記接続開始操作受付手段である。上記構成によれば、機能抑制状態表示手段の表示状態の変化と無線通信手段を抑制するモード設定との関連が容易に連想できるため、無線通信装置を熟知していない周囲の人であっても無線通信手段を抑制するモード設定の状態を明瞭に判別できる。
【００２１】
また、本発明の無線通信装置は、前記無線通信手段の接続先を指定する操作を受け付ける接続先指定操作受付手段を具備し、前記外部入出力手段が前記無線通信手段であり、前記インターフェイス手段が前記接続先指定手段である。上記構成によれば、機能抑制状態表示手段の表示状態の変化と無線通信手段を抑制するモード設定との関連が容易に連想できるため、無線通信装置を熟知していない周囲の人であっても無線通信手段を抑制するモード設定の状態を明瞭に判別できる。
【００２２】
また、本発明の無線通信装置は、前記無線通信手段の入力となる通話音声を入力する通話音声入力手段を具備し、前記外部入出力手段が前記無線通信手段であり、前記インターフェイス手段が前記通話音声入力手段である。上記構成によれば、機能抑制状態表示手段の表示状態の変化と無線通信手段を抑制するモード設定との関連が容易に連想できるため、無線通信装置を熟知していない周囲の人であっても無線通信手段を抑制するモード設定の状態を明瞭に判別できる。
【００２３】
また、本発明の無線通信装置は、前記無線通信手段が検知した着信に基づいて着信通知音の出力を指示する着信通知手段と、前記着信通知手段の指示に基づいて着信通知音を出力する着信通知音出力手段を具備し、前記外部入出力手段が前記着信通知手段であり、前記インターフェイス手段が前記着信音出力手段である。上記構成によれば、機能抑制状態表示手段の表示状態の変化と着信通知手段を抑制するモード設定との関連が容易に連想できるため、無線通信装置を熟知していない周囲の人であっても着信通知手段を抑制するモード設定の状態を明瞭に判別できる。
【００２４】
また、本発明の無線通信装置は、前記無線通信手段が出力する無線信号を電磁波として放出する無線信号出力手段を具備し、前記外部入出力手段が前記無線通信手段であり、前記インターフェイス手段が前記無線信号出力手段である。上記構成によれば、機能抑制状態表示手段の表示状態の変化と無線通信手段を抑制するモード設定との関連が容易に連想できるため、無線通信装置を熟知していない周囲の人であっても無線通信手段を抑制するモード設定の状態を明瞭に判別できる。
【００２５】
また、本発明の無線通信装置と、制御部と、複数の入力操作部とを具備する携帯型情報端末を構成する。上記構成によれば、情報表示手段の情報表示を妨げずにモード設定状態を明瞭に判別することができる携帯型情報端末を提供できる。
【００２６】
また、本発明の無線通信装置と、制御部と、操作入力受付手段と、音声コーデックと、通話音声入力手段と、通話音声出力手段と、着信通知手段と、着信通知音出力手段とを具備する携帯電話端末を構成する。上記構成によれば、情報表示手段の情報表示を妨げずにモード設定状態を明瞭に判別することができる携帯電話端末を提供できる。
【発明の効果】
【００２７】
本発明によれば、モード設定に応じて携帯電話に設置された表示手段の表示状態が変化するので、携帯電話のモード設定の状態を周囲から明瞭に判別することが可能となる。また、モード設定に応じて表示状態が変化する表示手段は、通信手段から取得した情報を表示する表示手段とは別に設けたので、モード設定の表示が情報表示を妨げずに済む。また、表示手段を設けてモード設定の状態を表示するようにしたので、携帯電話筐体の一部分の伸縮による筐体のサイズ増大による収納性の悪化や、着脱部材の持ち運びによる携帯性の悪化が避けられる。
【発明を実施するための最良の形態】
【００２８】
以下本発明を実施するための最良の形態について、図面を参照しながら説明する。なお、実施の形態を説明するための全図において、同一の構成要素には同一符号を付与し、重複する説明は省略する。
【００２９】
（実施の形態１）
本実施の形態１の携帯電話端末は、ドライブモードに設定すると情報表示手段の表示とテンキーの機能を抑制し、筐体の裏面と側面に配置されたＬＥＤ（Ｌｉｇｈｔ  Ｅｍｉｔｔｉｎｇ  Ｄｉｏｄｅ）が点灯することにより、他社にドライブモードであることを通知するものである。
図１は、本発明の実施の形態１における携帯電話端末の概略構成図である。図１において、携帯電話端末１は無線通信手段２、外部入出力手段４１である情報表示手段３、機能抑制手段４、機能抑制状態表示手段５を備える。
【００３０】
無線通信手段２は、無線公衆網に接続して無線通信を行う手段である。無線通信手段２は、着呼時の発信元電話番号、電子メール、ｗｅｂページ等を無線公衆網から取得し、取得した情報を情報表示手段３へ出力する。
【００３１】
情報表示手段３は、無線通信手段２が出力した情報や、メニュー等、携帯電話端末内部で生成する情報を表示する。また、情報表示手段３は、機能抑制信号１３００を受け取ると表示動作を抑制する。
【００３２】
機能抑制手段４は、情報表示手段３の表示動作を抑制するための機能抑制信号１３００を情報表示手段３へ出力する。また、機能抑制手段４は、機能抑制状態表示手段５の表示状態の変更を指示する機能抑制表示信号２５００を機能抑制状態表示手段５へ出力する。機能抑制状態表示手段５は、機能抑制表示信号２５００に基づいて表示状態を変化させる。
【００３３】
図２は、本発明の実施の形態１における携帯電話端末をさらに詳しく示した構成図である。図２において無線通信手段２は、アンテナ６０１を介して無線公衆網に接続して無線通信を行う。無線通信手段２は、アンテナ６０１との間で無線信号を送受する。
【００３４】
また、無線通信手段２は、オフフックボタン６０５が出力するオフフック操作信号に基づいて通信動作を開始する。また、無線通信手段２は、テンキー６０６が出力する番号入力操作信号に基づいて通信先電話番号を認識する。また、無線通信手段２は、マイク６０７が出力する音声信号を符号化して無線信号に重畳しアンテナ６０１へ出力する。また、無線通信手段２は、アンテナ６０１が出力する無線信号に基づいて着信を検知し、着信通知手段７に着信の通知を指示する。
【００３５】
アンテナ６０１は無線通信手段２が出力する無線信号を電磁波として空中へ放出する。また、アンテナ６０１は受信した電磁波を無線信号として無線通信手段２へ出力する。
【００３６】
機能抑制手段４は、メニュー制御手段８０１が出力するメニュー選択情報３８０１に基づいて情報表示手段３、テンキー６０６へそれぞれ機能抑制信号１３００、１６０６を出力することにより、情報表示手段３の表示動作、テンキー６０６の入力操作の受け付け動作を抑制するとともに、機能抑制表示信号２５０２、２５０４を出力する。
【００３７】
メニュー制御手段８０１は、メニューを生成し、生成したメニューの表示を情報表示手段３に指示する。また、メニュー制御手段８０１は、メニュー選択キー６０３からメニュー選択操作信号６０３１を取得し、メニュー選択情報３８０１を機能抑制手段４へ出力する。メニュー選択キー６０３は、ユーザのメニュー選択操作を受け付けてメニュー選択操作信号をメニュー制御手段８０１へ出力する。
【００３８】
オフフックボタン６０５は、請求項記載の接続開始操作受付手段に相当するものであり、ユーザによる押下操作を受け付けてオフフック操作信号を無線通信手段２へ出力する。テンキー６０６は、請求項記載の接続先指定操作受付手段に相当するものであり、ユーザによる電話番号入力操作を受け付けて番号入力操作信号を無線通信手段２へ出力する。
【００３９】
マイク６０７は、通話時にユーザの通話音声を電気信号である音声信号に変換して無線通信手段２へ出力する。
【００４０】
着信通知手段７は、無線通信手段２が着信の通知を指示すると着信通知信号を着信音出力手段６０８へ出力し、振動発生信号をバイブレータ６０９へ出力する。着信音出力手段６０８は、着信通知信号に基づいて着信通知音を放音する。バイブレータ６０９は、振動発生信号に基づいて振動を発生する。
【００４１】
第２ＬＥＤ５０２は、機能抑制表示信号２５０２を受け取ると表示状態を変更する。第４ＬＥＤ５０４は機能抑制表示信号２５０４を受け取ると表示状態を変更する。第２ＬＥＤ５０２および第４ＬＥＤ５０４は、図１における機能抑制状態表示手段５に相当する。
【００４２】
図３は、本発明の実施の形態１における携帯電話端末１の外観図である。図３（ａ）は折りたたみ筐体を開いた状態で斜め前から見た図であり、図３（ｂ）は折りたたみ筐体を閉じて背面から見た図である。図３（ａ）に示すとおり、携帯電話端末１にはマナーモードボタン６０２、メニュー選択キー６０３、オフフックボタン６０５、テンキー６０６、マイク６０７、情報表示手段３が配置されている。情報表示手段３は無線通信手段１が無線公衆網から取得した発信元電話番号４００９を表示している。また、図３（ｂ）に示すとおり、携帯電話端末１の裏面には着信音出力手段６０８が配置されている。
【００４３】
図４は、本発明の実施の形態１における携帯電話端末１のモード設定に伴う外観の変化を説明する図である。図４（ａ）は通常モードのときの携帯電話端末１の外観図であり、図４（ｂ）はドライブモードに設定したときの携帯電話端末１の外観図である。図４（ａ）に示すとおり、第４ＬＥＤ５０４はテンキー６０６の操作部分の表面に光が透過するよう配置され、テンキー６０６との対応が判別可能となっている。第２ＬＥＤ５０２は情報表示手段３を保持する筐体の裏面および側面に配置され、情報表示手段３との対応が判別可能となっている。筐体裏面の第２ＬＥＤ５０２は幅２０ｍｍ、高さ１５ｍｍの方形内に発光部を有し、筐体側面の第２ＬＥＤ５０２は幅５ｍｍ、高さ５０ｍｍの方形領域内に発光部を有する。
【００４４】
図５は、機能抑制手段４における機能抑制を動作させるためにユーザに提示されるメニューを説明する図である。以下、図２、図４、図５を用いて本発明の実施の形態１における携帯電話端末１の動作を説明する。
【００４５】
図５（ａ）は機能抑制のメニューの画面であり、図５（ｂ）は機能抑制メニューの項目を設定するときに表示される確認画面である。メニュー制御手段８０１がメニューの表示を情報表示手段３に指示すると、情報表示手段３がメニュー４００１およびメニュー項目４００２を表示する（図５（ａ））。ユーザがメニュー選択キー６０３を用いて上下移動の操作を行うと、メニュー選択キー６０３がこの操作を受け付けて移動方向を示すメニュー選択操作信号をメニュー制御手段８０１へ出力する。メニュー制御手段８０１はメニュー選択操作信号を受け取ると選択中の項目を切り替え、情報表示手段３に表示を指示すると、情報表示手段３がフォーカス４００３を上下に移動する表示を行う。
【００４６】
次に、項目「ドライブモード」にフォーカスが表示された状態でユーザがメニュー選択キー６０３を用いて選択決定の操作を行うと、メニュー選択キー６０３がこの操作を受け付けて選択決定を示すメニュー選択操作信号をメニュー制御手段８０１へ出力する。メニュー制御手段８０１はメニュー選択操作信号を受け取り、確認のためのメニューを表示するよう情報表示手段３に指示すると、情報表示手段３が確認メニュー４００４を表示する（図５（ｂ））。
【００４７】
さらに、項目「はい」にフォーカス４００５が表示された状態でユーザがメニュー選択キー６０３を用いて選択決定の操作を行うと、メニュー選択キー６０３がこの操作を受け付けて選択決定を示すメニュー選択操作信号をメニュー制御手段８０１へ出力する。メニュー制御手段８０１は、「ドライブモード」が選択されたことを示すメニュー選択情報３８０１を機能抑制手段４へ出力する。
【００４８】
機能抑制手段４は、メニュー選択情報３８０１を受け取ると、機能抑制信号１３００、１６０６を出力するとともに機能抑制表示信号２５０２、２５０４を出力する。
【００４９】
情報表示手段３は、機能抑制信号１３００を受け取るとアニメーション等で構成される待受け画面の表示動作およびバックライト点灯動作を抑制し、待受け画面の代わりに「ドライブモード設定中」等、表示動作を抑制していることを示す画面を表示する。テンキー６０６は、機能抑制信号１６０６を受け取ると操作入力を受け付ける動作を抑制し、ユーザがテンキー６０６を操作しても電話番号等の入力ができない状態となる。
【００５０】
第２ＬＥＤ５０２は機能抑制表示信号２５０２を受け取ると、抑制されている状態であることを識別できるよう赤色のバツ印の点滅動作を開始する。第４ＬＥＤ５０４は機能抑制表示信号２５０４を受け取ると減光状態に表示を変更する（図４（ｂ）のハッチング部分）。
【００５１】
以上の説明から明らかなように、本発明の実施の形態１における携帯電話端末は、ドライブモードに設定すると携帯電話端末の筐体の裏面と側面に配置されたＬＥＤの表示が変化するので、例えば自動車のダッシュボード上に携帯電話端末を設置しておけば、ユーザが情報表示手段を注視したり通話のためにテンキーを操作することができないモードに携帯電話が設定されているということを、自動車の前方や側方にいる警察官が明瞭に判別することができる。
【００５２】
（実施の形態２）
図６は、本発明の実施の形態２における携帯電話端末の概略構成図である。本発明の実施の形態２においては、本発明の実施の形態１の構成要素（図１）に加えて撮像手段９を備える。撮像手段９は外部入出力手段４１に相当する。また、機能抑制手段４は撮像手段９を抑制する機能抑制信号１９００を出力するよう構成されている。
【００５３】
撮像手段９は、携帯電話端末内へ画像を取り込む手段である。撮像手段９は、取り込んだ画像を電子情報に変換して無線通信手段２へ出力する。無線通信手段２は、撮像手段が出力する画像の電子情報を電子メール等に添付して無線通信回線へ送出する。本発明の実施の形態２においては、図６の撮像手段９が請求項記載の外部入出力手段に相当する手段となっている。
【００５４】
図７は、本発明の実施の形態２における携帯電話端末１をさらに詳しく示した構成図である。図７において機能抑制手段４は、メニュー制御手段８０１が出力するメニュー選択情報３８０１を受け取ると撮像手段９へ機能抑制信号１９００を出力することにより、撮像手段が画像を取り込む動作を抑制するとともに、機能抑制表示信号２５０７を出力する。
【００５５】
撮像手段９は、取り込んだ画像を電子情報に変換して無線通信手段２またはメモリー９０１へ出力する。メモリー９０１は、撮像手段９が出力する電子情報を蓄積する。第７ＬＥＤ５０７は機能抑制表示信号２５０７を受け取ると表示状態を変更する。
【００５６】
図８は、本発明の実施の形態２における携帯電話端末１の外観図である。図８（ａ）に示すとおり、第７ＬＥＤ５０７は撮像手段９の露出部分を横断する領域およびそれに隣接する領域に配置され、撮像手段９との対応が判別可能となっている。
【００５７】
図９は、機能抑制手段４における機能抑制を動作させるためにユーザに提示されるメニューを説明する図である。メニューの表示と選択操作受け付けの処理動作は本発明の実施の形態１と同様であるので詳細な説明は省略し、以下概略動作のみ説明する。
【００５８】
情報表示手段３がメニュー５００１、メニュー項目５００２、フォーカス５００３を表示した状態（図９（ａ））で、ユーザがメニュー選択キー６０３で選択決定する操作を行うと、情報表示手段３が確認メニュー５００４とフォーカス５００５を表示する（図９（ｂ））。この状態でユーザがメニューキー６０３で選択決定操作を行うと、メニュー制御手段８０１は「撮影禁止モード」が選択されたことを示すメニュー選択情報３８０１を機能抑制手段４へ出力する。
【００５９】
機能抑制手段４は、メニュー選択情報３８０１を受け取ると機能抑制信号１９００を出力するとともに機能抑制表示信号２５０７を出力する。撮像手段９は、機能抑制信号１９００を受け取ると、画像を取り込む動作を停止する。第７ＬＥＤ５０７は機能抑制表示信号２５０７を受け取ると赤色の点滅動作を開始する。（図８（ｂ）のハッチング部分）。
【００６０】
以上の説明から明らかなように、本発明の実施の形態２における携帯電話端末は、撮影禁止モードに設定すると撮像素子に配置されたＬＥＤの表示が変化するので、例えば劇場内において警備員が、撮像素子が停止しているために写真撮影ができないモードに携帯電話が設定されているということを明瞭に判別することができる。
【００６１】
（実施の形態３）
図１０は、本発明の実施の形態３における携帯電話端末の概略構成図である。本発明の実施の形態３においては、本発明の実施の形態１の構成要素（図１）に加えてインターフェイス手段６を備える。また、本実施の形態においては、無線通信手段２は外部入出力手段４１に相当する。また、機能抑制手段４は無線通信手段２を抑制する機能抑制信号１２００を出力するよう構成されている。
【００６２】
インターフェイス手段６は、ユーザや外界と無線通信手段２との間で情報をやりとりするためのインターフェイスとなる手段である。インターフェイス手段６は、無線通信手段２の処理入力となる信号を出力するか、または無線通信手段２の処理出力を入力とする。
【００６３】
図１１は、本発明の実施の形態３における携帯電話端末１をさらに詳しく示した構成図である。図１１において機能抑制手段４は、メニュー制御手段８０１が出力するメニュー選択情報３８０１を受け取ると無線通信手段２へ機能抑制信号１２００を出力することにより、無線通信手段２がアンテナ６０１へ無線信号を出力する動作を抑制するとともに、機能抑制表示信号２５０３、２５０５を出力する。
【００６４】
オフフックボタン６０５は、無線通信手段２の処理入力となるオフフック操作信号を出力する手段であり、図１０におけるインターフェイス手段６に相当する。また、マイク６０７は、無線通信手段２の処理入力となる音声信号を出力する手段であり、図１０のインターフェイス手段６に相当する。
【００６５】
第３ＬＥＤ５０３は機能抑制表示信号２５０３を受け取ると表示状態を変更する。第５ＬＥＤ５０５は、機能抑制表示信号２５０５を受け取ると表示状態を変更する。第３ＬＥＤ５０３および第５ＬＥＤ５０５は、図１０における機能抑制状態表示手段５に相当する。
【００６６】
図１２は、本発明の実施の形態３における携帯電話端末１の外観図である。図１２（ａ）に示すとおり、第３ＬＥＤ５０３はオフフックボタン６０５の操作部分の表面に光が透過するよう配置され、オフフックボタン６０５との対応が判別可能となっている。第５ＬＥＤ５０５はマイク６０７の露出部分を横断する領域およびそれに隣接する領域に配置され、マイク６０７との対応が判別可能となっている。
【００６７】
図１３は、機能抑制手段４における機能抑制を動作させるためにユーザに提示されるメニューを説明する図である。メニューの表示と選択操作受け付けの処理動作は本発明の実施の形態１と同様であるので詳細な説明は省略し、以下概略動作のみ説明する。
【００６８】
情報表示手段３がメニュー６００１、メニュー項目６００２、フォーカス６００３を表示した状態（図１３（ａ））で、ユーザがメニュー選択キー６０３で選択決定する操作を行うと、情報表示手段３が確認メニュー６００４とフォーカス６００５を表示する（図１３（ｂ））。この状態でユーザがメニューキー６０３で選択決定操作を行うと、メニュー制御手段８０１は「電波停止モード」が選択されたことを示すメニュー選択情報３８０１を機能抑制手段４へ出力する。
【００６９】
機能抑制手段４は、メニュー選択情報３８０１を受け取ると機能抑制信号１２００を出力するとともに機能抑制表示信号２５０３、２５０５を出力する。無線通信手段２は、機能抑制信号１２００を受け取ると、アンテナ６０１への無線信号の出力を停止する。第３ＬＥＤ５０３は機能抑制表示信号２５０３を受け取ると赤色の点滅動作を開始する。第５ＬＥＤ５０５は機能抑制表示信号２５０５を受け取ると赤色に点灯する（図１２（ｂ）のハッチング部分）。
【００７０】
以上の説明から明らかなように、本発明の実施の形態３における携帯電話端末は、電波停止モードに設定するとオフフックキーとマイクに配置されたＬＥＤの表示が変化するので、例えば電車内においてユーザの隣の座席に座っている人が、電磁波の放出が停止しているために着信応答や通話ができないモードに携帯電話が設定されているということを明瞭に判別することができる。
【００７１】
（実施の形態４）
本発明の実施の形態４における携帯電話端末の概略構成は図１０と同じであるので説明を省略する。
【００７２】
図１４は、本発明の実施の形態４における携帯電話端末をさらに詳しく示した構成図である。本発明の実施の形態３における構成（図１１）においては、オフフックボタン６０５およびマイク６０７が図１０のインターフェイス手段６に相当するものであったが、本発明の実施の形態４における構成においては、無線通信手段２の処理出力である無線信号を入力とするアンテナ６０１がインターフェイス手段６に相当する。また本発明の実施の形態４における携帯電話端末１は、アンテナ６０１に対応する機能抑制状態表示手段５に相当する第１ＬＥＤ５０１を備える。また、機能抑制手段４は機能抑制表示信号２５０１を第１ＬＥＤ５０１へ出力するよう構成されている。
【００７３】
図１５は、本発明の実施の形態４における携帯電話端末１の外観図である。図１５（ａ）に示すとおり、第１ＬＥＤ５０１はアンテナが電波を発している様子を表すシンボルの形状に光を透過するよう配置され、アンテナ６０１との対応が判別可能となっている。また、第１ＬＥＤ５０１は携帯電話端末１の筐体の裏面に配置されているので、ユーザが携帯電話端末１を操作している際に、ユーザに相対する位置にいる周囲の人からも視認可能となっている。
【００７４】
メニューの表示から選択に至る動作は本発明の実施の形態３と同じであるので説明を省略する。機能抑制手段４が、「電波停止モード」が選択されたこを示すメニュー選択情報３８０１を受け取ると機能抑制信号１２００を出力するとともに機能抑制表示信号２５０１を出力する。無線通信手段２は、機能抑制信号１２００を受け取ると、アンテナ６０１への無線信号の出力を停止する。第１ＬＥＤ５０１は機能抑制表示信号２５０１を受け取ると、シンボル上にバツ印を付加した表示へと表示状態を変更する（図１５（ｂ））。
【００７５】
以上の説明から明らかなように、本発明の実施の形態４における携帯電話端末は、電波停止モードに設定すると携帯電話端末の筐体の裏面に配置されたＬＥＤの表示が電波を停止していることを示す表示に変化するので、例えば電車内においてユーザの向かいの座席に座っている人が、電磁波を放出しないモードに携帯電話が設定されているということを明瞭に判別することができる。
【００７６】
（実施の形態５）
図１６は、本発明の実施の形態５における携帯電話端末の概略構成図である。本発明の実施の形態５においては、本発明の実施の形態３および４の構成要素（図１０）に加えて着信通知手段７を備える。また、機能抑制手段４は着信通知手段７を抑制する機能抑制信号１７００を出力するよう構成されている。
【００７７】
なお、本発明の実施の形態５においては、図１６の着信通知手段７が請求項記載の外部入出力手段４１に相当する手段となっている。
【００７８】
図１７は、本発明の実施の形態５における携帯電話端末をさらに詳しく示した構成図である。マナーモードボタン６０２は、ユーザによる押下操作を受け付けてマナーモード操作信号を機能抑制手段４へ出力する。機能抑制手段４は、マナーモード操作信号を受け取ると着信通信手段７を抑制する機能抑制信号１７００、機能抑制表示信号２５０６を出力する。着信通知手段７は、機能抑制信号１７００を受け取ると着信音出力手段６０８へ出力する着信通知信号の出力を抑制する。これにより着信音出力手段６０８が着信通知音を放音しなくなる。
【００７９】
本発明の実施の形態５においては、図１７の着信音出力手段６０８、第６ＬＥＤ５０６が、それぞれ図１６におけるインターフェイス手段６、機能抑制状態表示手段５に相当する。
【００８０】
図１８は、本発明の実施の形態５における携帯電話端末の外観図である。第６ＬＥＤ５０６は着信音出力手段６０８の表面部分に配置され、着信音出力手段との対応が判別可能となっている。第６ＬＥＤ５０６が機能抑制表示信号２５０６を受け取るとバツ印状に点灯する。第６ＬＥＤ５０６は、バツ印状に点灯するよう配置されているので、第６ＬＥＤ５０６が点灯すると機能抑制が行われているということが周囲から識別可能である。また、第６ＬＥＤ５０６は携帯電話端末１の筐体の裏面に配置されているので、ユーザが携帯電話端末１を操作している際に、ユーザに相対する位置にいる周囲の人からも視認可能となっている。
【００８１】
以上の説明から明らかなように、本発明の実施の形態５における携帯電話端末は、マナーモードに設定すると着信音出力手段に配置されたＬＥＤの表示が変化するので、例えば電車内においてユーザの周囲にいる人が、着信音を放音しないモードに携帯電話が設定されているということを明瞭に判別することができる。
【００８２】
以上の説明から明らかなように、本発明の無線通信装置によれば、モード設定に応じて携帯電話端末１に設置された機能抑制状態表示手段５の表示状態が変化するので、モード設定の状態を周囲から明瞭に判別することが可能となる。また、機能抑制状態表示手段５は、通信手段から取得した情報を表示する情報表示手段３とは別に設けたので、モード設定の表示が情報表示を妨げずに済む。また、機能抑制状態表示手段５を設けてモード設定の状態を表示するようにしたので、携帯電話筐体の一部分の伸縮による携帯電話本体のサイズ増大による収納性の悪化や、着脱部材の持ち運びによる携帯性の悪化が避けられる。
【００８３】
なお、本発明の実施の形態１ないし５において、機能抑制状態表示手段はＬＥＤであるとしたが、表示状態が周囲から視認可能に変化する表示手段であれば何でもよく、光電管、液晶、有機ＥＬ、プラズマ、電子粉流体等を用いた表示手段でもよいし、フラッシュランプ等であってもよい。
【００８４】
なお、本発明の実施の形態３ないし５において、インターフェイス手段はオフフックキーまたはマイクまたはアンテナまたは着信音出力手段であるとしたが、ユーザまたは外界と無線通信装置が内蔵する手段との間で情報をやりとりする手段であれば何であってもよく、テンキー、ダイヤル、スイッチ、ボタン、タッチパネル、撮像素子等の入力手段や、スピーカー、ヘッドセット、ストロボ等の出力手段であってもよい。
【００８５】
なお、本発明の実施の形態１および３において、接続開始操作受付手段はオフフックボタンであるとしたが、これに限るものではなく、無線通信手段が無線公衆網に接続を開始する操作を受け付ける手段であれば何でもよい。
【００８６】
なお、本発明の実施の形態１において、接続先指定操作受付手段はテンキーであるとしたが、無線通信手段の接続先を指定する操作を受け付ける手段であれば何でもよく、電話帳呼び出しを行うための操作子、発信履歴または着信履歴の呼び出しを行うための操作子、ジョグダイヤル等であってもよい。
【００８７】
なお、本発明の実施の形態１において、情報表示手段は機能抑制信号を受け取ると機能を抑制するとしたが、これに限るものではなく、機能抑制信号を受け取ると機能を動作するようにしてもよい。
【００８８】
なお、本発明の実施の形態２において、撮像手段は機能抑制信号を受け取ると機能を抑制するとしたが、これに限るものではなく、機能抑制信号を受け取ると機能を動作するようにしてもよい。
【００８９】
なお、本発明の実施の形態３ないし４において、無線通信手段は機能抑制信号を受け取ると機能を抑制するとしたが、これに限るものではなく、機能抑制信号を受け取ると機能を動作するようにしてもよい。
【００９０】
なお、本発明の実施の形態５において、着信通知手段は機能抑制信号を受け取ると機能を抑制するとしたが、これに限るものではなく、機能抑制信号を受け取ると機能を動作するようにしてもよい。
【００９１】
なお、本発明の実施の形態１において、機能抑制状態表示手段は情報表示手段を保持する筐体の側面と裏面に配置するとしたが、情報表示手段との対応が識別できるならば側面と裏面のうちのどちらか一方に配置するようにしてもよいし、情報表示手段と同じ面に配置するようにしてもよい。
【００９２】
なお、本発明の実施の形態１において、機能抑制状態表示手段は２０ｍｍ×１５ｍｍおよび５ｍｍ×５０ｍｍの方形であるとしたが、これに限るものではなく、おおむね直径５ｍｍの円形領域を超える、外部から視認可能な表示変化部分を備えればどのようなサイズや形状であってもよい。
【００９３】
なお、本発明の実施の形態１ないし５において、機能抑制状態表示手段は点灯または点滅または減光することにより表示状態を変化させるとしたが、その他の変化であってもよく、消灯する、光量を増加させる、色を変化させる、形状を変化させる、光の透過率や反射率を変化させる等でもよい。
【００９４】
なお、本発明の実施の形態１ないし５において、機能抑制状態表示手段は赤色に点灯または点滅するとしたが、白、緑、青、黄色、シアン、マゼンタや、それ以外の中間色であってもよいし、複数の色を同時または交互に点灯または点滅するようにしてもよい。
【００９５】
なお、本発明の実施の形態１ないし５において、機能抑制手段が外部入出力手段を抑制しているときに機能抑制状態表示手段がバツ印または斜線の表示を行うとしたが、抑制または停止または中止または禁止を表すシンボルやテキストであれば何でもよく、例えば「進入禁止」や「通行禁止」等の規制を表す道路標識の一部、人間の手のひらや動物の足の裏や植物の葉や枝で制止するポーズ、休眠中の顔、睡眠中であることを表す「ｚ」および／または「Ｚ」を連続したテキスト等であってもよい。
【００９６】
なお、本発明の実施の形態４において、機能抑制状態表示手段がインターフェイス手段を表すシンボルの形状を表示するとしたが、これに限るものではなく、インターフェイス手段を表すシンボルやテキストを筐体表面に印刷または別の表示手段で表示しておき、機能抑制状態表示手段をその内側や隣に配置するようにしてもよい。
【００９７】
なお、本発明の実施の形態１ないし５において、マナーモード、ドライブモード、電波停止モード、撮影禁止モードを例として説明したが、これに限るものではなく、周囲になんらかの副作用を及ぼす機能の一部を抑制するモードであれば何でもよく、例えばストロボ発光を抑制するモードであってもよい。
【００９８】
なお、本発明の無線通信装置は、本実施の形態１ないし５においては携帯電話端末を例として説明したが、これに限るものではなく、ＰＤＡ、携帯型パーソナルコンピューター、ウエアラブルコンピューター、無線通信機能を有する音楽プレーヤーや映像プレーヤー等のコンテンツ再生装置、無線通信機能を有するゲーム機などであってもよい。
【産業上の利用可能性】
【００９９】
本発明の無線通信装置は、携帯性を悪化させることなく、機能の一部を抑制するモードの設定状態が周囲から明瞭に判別可能となるという効果を有し、公共の場所で利用可能な無線通信機能を有する携帯型電子機器に有用である。
【図面の簡単な説明】
【０１００】
【図１】本発明の実施の形態１における携帯電話端末の簡略構成図
【図２】本発明の実施の形態１における携帯電話端末の詳細構成図
【図３】（ａ）本発明の実施の形態１における携帯電話端末の表側の外観図（ｂ）本発明の実施の形態１における携帯電話端末の裏側の外観図
【図４】（ａ）本発明の実施の形態１における携帯電話端末の通常モードにおける外観図（ｂ）本発明の実施の形態１における携帯電話端末のドライブモードにおける外観図
【図５】（ａ）本発明の実施の形態１における携帯電話端末が表示するメニューを説明する第１の図（ｂ）本発明の実施の形態１における携帯電話端末が表示するメニューを説明する第２の図
【図６】本発明の実施の形態２における携帯電話端末の簡略構成図
【図７】本発明の実施の形態２における携帯電話端末の詳細構成図
【図８】（ａ）本発明の実施の形態２における携帯電話端末の通常モードにおける外観図（ｂ）本発明の実施の形態２における携帯電話端末の撮影禁止モードにおける外観図
【図９】（ａ）本発明の実施の形態２における携帯電話端末が表示するメニューを説明する第１の図（ｂ）本発明の実施の形態２における携帯電話端末が表示するメニューを説明する第２の図
【図１０】本発明の実施の形態３および４における携帯電話端末の簡略構成図
【図１１】本発明の実施の形態３における携帯電話端末の詳細構成図
【図１２】（ａ）本発明の実施の形態３における携帯電話端末の通常モードにおける外観図（ｂ）本発明の実施の形態３における携帯電話端末の電波停止モードにおける外観図
【図１３】（ａ）本発明の実施の形態３および４における携帯電話端末が表示するメニューを説明する第１の図（ｂ）本発明の実施の形態３および４における携帯電話端末が表示するメニューを説明する第２の図
【図１４】本発明の実施の形態４における携帯電話端末の詳細構成図
【図１５】（ａ）本発明の実施の形態４における携帯電話端末の通常モードにおける外観図（ｂ）本発明の実施の形態４における携帯電話端末の電波停止モードにおける外観図
【図１６】本発明の実施の形態５における携帯電話端末の簡略構成図
【図１７】本発明の実施の形態５における携帯電話端末の詳細構成図
【図１８】（ａ）本発明の実施の形態５における携帯電話端末の通常モードにおける外観図（ｂ）本発明の実施の形態５における携帯電話端末のマナーモードにおける外観図
【符号の説明】
【０１０１】
１  携帯電話端末
２  無線通信手段
３  情報表示手段
４  機能抑制手段
４１  外部入出力手段
５  機能抑制状態表示手段
５０１  第１ＬＥＤ
５０２  第２ＬＥＤ
５０３  第３ＬＥＤ
５０４  第４ＬＥＤ
５０５  第５ＬＥＤ
５０６  第６ＬＥＤ
５０７  第７ＬＥＤ
６  インターフェイス手段
６０１  アンテナ
６０２  マナーモードボタン
６０３  メニュー選択キー
６０５  オフフックボタン
６０６  テンキー
６０７  マイク
６０８  着信音出力手段
６０９  バイブレータ
７  着信音通知手段
８０１  メニュー制御手段
９  撮像手段
９０１  メモリー
１２００，１３００，１６０６，１７００，１９００  機能抑制信号
２５００，２５０１，２５０２，２５０３，２５０４，２５０５，２５０６，２５０７  機能抑制表示信号
３８０１  メニュー選択情報
４００１，５００１，６００１  メニュー
４００２，５００２，６００２  メニュー項目
４００３，４００５，５００３，５００５，６００３，６００５  フォーカス
４００４，５００４，６００４  確認メニュー
【図１】
2007243767.tif 000003
【図２】
2007243767.tif 000004
【図３】
2007243767.tif 000005
【図４】
2007243767.tif 000006
【図５】
2007243767.tif 000007
【図６】
2007243767.tif 000008
【図７】
2007243767.tif 000009
【図８】
2007243767.tif 000010
【図９】
2007243767.tif 000011
【図１０】
2007243767.tif 000012
【図１１】
2007243767.tif 000013
【図１２】
2007243767.tif 000014
【図１３】
2007243767.tif 000015
【図１４】
2007243767.tif 000016
【図１５】
2007243767.tif 000017
【図１６】
2007243767.tif 000018
【図１７】
2007243767.tif 000019
【図１８】
2007243767.tif 000020